(57)【要約】【課題】  自然換気用に障子が自重降下するようにした辷り出し窓に用いる障子引寄せ装置を提供する。【解決手段】  オペレーター５の操作によってスライドプレート４３を無目１２長手方向にスライドして，その押圧突起４３１によって無目１２に軸支した回動プレート４４とこれに固定した引寄せアーム４５を回動する一方，スライドプレート４３の引寄せ突起４３２が引寄せアーム４５の下を潜り抜けて，この引寄せアーム４５の下面に下向きに突設した引寄せブロック４５２に廻り込むように係止するようにして障子２の引寄せ閉鎖を行うとともにスライドプレート４３に連動するスライドフック４６に障子２のロックピン４６１を係止して施錠する。オペレーター５によるスライドプレート４３及びスライドフック４６の逆方向への復帰によって，障子２と縦枠１３間に配置した障子制動装置によって障子２が自重降下してその開放を行う。【選択図】  図６
2008308928.tif 000002
【特許請求の範囲】
【請求項１】
外開き窓乃至辷り出し窓の障子の下框を窓枠の下枠に引寄せて障子を引寄せ閉鎖する引寄せ装置であって，窓枠又は壁面に配置したオペレーターと，上記障子の下框と窓枠の下枠間にこれらを連結するように配置し且つ下枠側近傍の裏面に下向きに突設した引寄せブロックを有する引寄せアームと，上記オペレーターの障子閉鎖操作で下枠長手方向に引寄せスライド自在とし且つオペレーターの障子開放操作で該引寄せスライドにより蓄積した復帰付勢力によって逆方向にスライド復帰自在としたスライドプレートと，該スライドプレートの室外側に起立突出して引寄せアーム側面を押圧することにより該引寄せアームを室内側に向けて強制回動する押圧突起と，同じく該スライドプレートの室内側に強制回動する引寄せアームの下方を潜り抜けて下枠側に移動した上記引寄せブロックの室外側に廻り込み状に係止する引寄せ突起とを備えてなることを特徴とする障子引寄せ装置。
【請求項２】
上記下枠のスライドプレートと離隔した位置に配置して，該スライドプレートと連動してスライドするスライドフックと，障子引寄せ閉鎖時の下框の対応位置に該スライドフックに係止するロックピンとによって下枠に下框を施開錠自在としてなることを特徴とする請求項１に記載の障子引寄せ装置。
【請求項３】
上記下枠にオペレーターと連結し且つ上記下枠長手方向一方に付勢したスライド杆を配置し，該スライド杆に上記スライドプレート及びスライドフックを固定することによって，該スライドプレートとスライドフックを連動してなることを特徴とする請求項２に記載の障子引寄せ装置。
【請求項４】
上記引寄せアームを，下枠側において下枠に回動自在に配置した回動プレートに固定し，上記スライドプレートの押圧突起による引寄せアーム側面の押圧を該回動プレートの押圧によって行ってなることを特徴とする請求項１，２又は３に記載の障子引寄せ装置。
【請求項５】
上記引寄せアームを，長寸の障子側アーム部材と短寸の下枠側アーム部材をその自由端側で回動自在に軸支固定した屈曲一対のアーム部材によって形成し且つ上記引寄せブロックを下枠側アーム部材の長手方向中間位置の裏面に配置してなることを特徴とする請求項１，２，３又は４に記載の障子引寄せ装置。
【請求項６】
上記下枠のスライドプレートと離隔した位置に，先端に下框に対接するローラーを具備して室外側に向けて付勢した屈伸自在の緩衝部材を配置してなることを特徴とする請求項１，２，３，４又は５に記載の障子引寄せ装置。
【請求項７】
上記オペレーターを，長寸のハウジングと，該ハウジングに起倒自在に配置した起倒操作用のレバーハンドルと，該レバーハンドルのハウジングからの起立操作によってハウジング内を上記スライドプレート引寄せ方向にスライド自在に配置するとともに長手方向中間位置の背面に横断方向に向けて凹陥した交差係止溝を有するスライドバーと，ハウジング内に正面側に付勢して回動自在に配置しスライドバーを定位置にロックするように上記スライドバーの交差係止溝に弾発的に嵌合係止する係止ピンを有するトリガーと，ハウジングの正面側に露出配置して押圧操作によって上記トリガーを背面側に押圧回動するプッシュボタンとを備えて形成してなることを特徴とする請求項１，２，３，４，５又は６に記載の障子引寄せ装置。
【請求項８】
上記スライドバーに両側突出のガイドピンを配置するとともにそのガイドピンをハウジングの両側面にその長手方向に向けて配置した長孔にスライド自在に嵌挿して該長孔の案内によって該スライドバーをハウジング内スライド自在としてなることを特徴とする請求項７に記載の障子引寄せ装置。
【請求項９】
上記レバーハンドルに長手方向中間位置からハウジングに向けて配置し先端に両側突出のガイドピンを有するアームを配置するとともにそのガイドピンをハウジングの両側面にその長手方向に向けて配置した長孔にスライド自在に嵌挿して該長孔の案内によって起立操作したレバーハンドルを転倒復帰自在としてなることを特徴とする請求項７に記載の障子引寄せ装置。
【請求項１０】
上記スライドバーに両側突出のガイドピンを配置し，上記レバーハンドルに長手方向中間位置からハウジングに向けてアームを配置するとともに該アームの先端に同じく両側突出のガイドピンを配置する一方，ハウジングの両側面にその長手方向に向けた長孔を配置して，上記スライドバー及びアームのガイドピンを該長孔にスライド自在に嵌挿するとともに長孔に対するスライドバーにおけるガイドピンを上記スライドプレート引寄せ方向の後方に，アームにおけるガイドピンをスライドプレート引寄せ方向前方に配置することにより，上記レバーハンドルの起立操作によってそのアームのガイドピンがスライドバーのガイドピンを押圧して該スライドバーの係止を行うとともに該スライドバーの係止状態でレバーハンドルをハウジングに転倒復帰自在としてなること特徴とする請求項７に記載の障子引寄せ装置。
【発明の詳細な説明】
【技術分野】
【０００１】
本発明は，外開き窓乃至辷り出し窓の障子の下框を窓枠の下枠に引寄せて障子を引寄せ閉鎖する障子引寄せ装置に関する。
【背景技術】
【０００２】
この種の障子引寄せ装置として，本発明者らは，自然換気窓とした外開き窓用のものを提案済であり，これによれば該引寄せ装置は，窓枠又は壁面に配置したオペレーターと，窓枠の縦枠上端に配置した滑車装置と，該滑車装置の動滑車を配置して引寄せ方向に付勢した昇降部材と，該昇降部材に連結して，オペレーターの障子閉鎖操作で上記動滑車の上下動に追従して縦枠を引寄せスライドするように縦枠の見込面に凹陥形成した凹溝に収納して該縦枠に配置した，金属プレートを多数枚重合したバランサーと，該バランサーの裏面に配置したガイドローラー等のスライダーと，該スライダーを案内するように縦枠の上記凹溝のバランサー背面に配置したガイドレールと，縦枠見込面の障子側において該バランサーと障子の縦框間に長手方向両端部を回動自在としてこれらの間に縦枠から下向きに傾斜介設し，バランサーの上下動に従って強制回動する障子開閉用の連結アーム等を備えて形成したものとされ，また障子の施錠は，オペレーターと連結し且つ上記下枠長手方向一方に付勢して下枠に配置したスライド杆と，該スライド杆に固定したスライドフックと，下框に固定したロックピンとの係止によって行うものとしてあり，このとき該障子の引寄せと施錠を行うオペレーターは，ハンドル回転操作によって，上記滑車装置及びスライド杆に連結したワイヤーを巻き取るようにしたものとされる。
【０００３】
【特許文献１】特開２００７−６３８９９号公報
【発明の開示】
【発明が解決しようとする課題】
【０００４】
この場合，該外開き窓は，その障子の傾斜開放を常態とし，障子が受ける風圧抵抗に応じて，例えば風圧が強くなった際に障子を一時的に閉鎖し，強い風圧がなくなった際に再び障子を傾斜開放する如くにその自動の開閉動作を行うようにした自然換気のものとすることが可能であるが，該引寄せ装置は，障子の縦框と窓枠の縦枠間に配置した引寄せ及び開閉制御の機構と，障子の下框と窓枠の下枠間に配置した施錠の機構とを，単一のオペレーターによって操作するものであるため，その部品数が多くなって，構造が複雑化する傾向を招き易く，また金属プレートを多数枚重合したバランサーを使用し且つ該バランサーにスライダーを設置して該スライダーを縦枠に設置したガイドレールによって案内するものとされるから，縦枠，特に連窓方立の見付幅が，一般の連窓方立より数ｃｍ程度幅広となり，連窓方立が太いという印象を呈して外観意匠を損なうという可能性が残されている。
【０００５】
更にこの引寄せ装置は，外開き窓には適用できるが，これと開閉形態を異にする，例えば障子を窓枠から前方迫出し状に，自重降下によって開放し，引寄せ上昇によって閉鎖する如くにした，障子を上下動して開閉する開閉形態の辷り出し窓等には，該障子が上下動することによって適用し難いという問題点が残されている。
【０００６】
本発明はかかる事情に鑑みてなされたもので，その解決課題とするところは，可及的簡易な構成によって確実に障子を引寄せ閉鎖し得るようにするとともに外開き窓や辷り出し窓の具体的形態に拘らず，これらに広く適用し得るようにした障子引寄せ装置を提供するにある。
【課題を解決するための手段】
【０００７】
上記課題に沿って本発明は，障子の引寄せ閉鎖を，オペレーターによって障子の下框と窓枠の下枠間で完結的になし得る構成として，例えば自然換気窓に用いるに際しては，その風圧抵抗による障子の開閉制御の機構は，これを引寄せの機構と分離して別途に縦枠に配置する形態のものとする一方，障子の引寄せを，下框と下枠間に配置した引寄せアームを強制回動することによって行うようにし，該引寄せアームの強制回動を，オペレーターの障子閉鎖操作によって下枠長手方向に引寄せスライドする下枠配置のスライドプレートに起立した押圧突起を引寄せアームに対接して該引寄せアームをスライド方向に押圧することによって行うとともに同じくスライドプレートに起立した，引寄せアームの下を潜り抜ける高さの引寄せ突起が，該引寄せアームの強制回動によってその室外側に廻り込むように位置して，該引寄せアームの下枠近傍裏面に下向きに突設した引寄せブロックに係止して，該引寄せブロック，即ち引寄せアームを室内側に押圧して障子の引寄せ閉鎖を行い，また上記オペレーターによるスライドプレートの引寄せスライドによって蓄積した復帰方向の付勢力によって，オペレーターの障子開放操作によって該スライドプレートが逆方向にスライド復帰し，障子の開放をなし得るようにし，これによって外開き窓乃至辷り出し窓の障子引寄せを可及的に簡易な構成にして確実になし得るようにしたものであって，即ち請求項１に記載の発明を，外開き窓乃至辷り出し窓の障子の下框を窓枠の下枠に引寄せて障子を引寄せ閉鎖する引寄せ装置であって，窓枠又は壁面に配置したオペレーターと，上記障子の下框と窓枠の下枠間にこれらを連結するように配置し且つ下枠側近傍の裏面に下向きに突設した引寄せブロックを有する引寄せアームと，上記オペレーターの障子閉鎖操作で下枠長手方向に引寄せスライド自在とし且つオペレーターの障子開放操作で該引寄せスライドにより蓄積した復帰付勢力によって逆方向にスライド復帰自在としたスライドプレートと，該スライドプレートの室外側に起立突出して引寄せアーム側面を押圧することにより該引寄せアームを室内側に向けて強制回動する押圧突起と，同じく該スライドプレートの室内側に強制回動する引寄せアームの下方を潜り抜けて下枠側に移動した上記引寄せブロックの室外側に廻り込み状に係止する引寄せ突起とを備えてなることを特徴とする障子引寄せ装置としたものである。
【０００８】
請求項２に記載の発明は，上記に加えて，下枠に上記スライドプレートのスライドに連動してスライドするスライドフックを配置し，下框に該スライドフックのロックピンを配置することにより，スライドプレートのスライドによってスライドフックにロックピンを係止し，スライドプレートの復帰によって該係止を解除して，上記オペレーターの操作によって障子の施開錠をなし得るものとするように，これを，上記下枠のスライドプレートと離隔した位置に配置して，該スライドプレートと連動してスライドするスライドフックと，障子引寄せ閉鎖時の下框の対応位置に該スライドフックに係止するロックピンとによって下枠に下框を施開錠自在としてなることを特徴とする請求項１に記載の障子引寄せ装置としたものである。
【０００９】
請求項３に記載の発明は，同じく上記に加えて，下枠にその長手方向一方に付勢したスライド杆を配置して，これにスライドプレート及びスライドフックを固定し，その連動したスライドを行うものとするように，これを，上記下枠にオペレーターと連結し且つ上記下枠長手方向一方に付勢したスライド杆を配置し，該スライド杆に上記スライドプレート及びスライドフックを固定することによって，該スライドプレートとスライドフックを連動してなることを特徴とする請求項２に記載の障子引寄せ装置としたものである。
【００１０】
請求項４に記載の発明は，同じく上記に加えて，上記スライドプレートの引寄せアームの強制回動を，該引寄せアームを固定して下枠に回動自在に配置した回動プレートを介して行うことによって，引寄せアームの押圧を均一に行うとともに部分的な押圧による引寄せアームの変形を防止し，引寄せアームの回動を安定且つ確実に行うものとするように，これを，上記引寄せアームを，下枠側において下枠に回動自在に配置した回動プレートに固定し，上記スライドプレートの押圧突起による引寄せアーム側面の押圧を該回動プレートの押圧によって行ってなることを特徴とする請求項１，２又は３に記載の障子引寄せ装置としたものである。
【００１１】
請求項５に記載の発明は，同じく上記に加えて，引寄せアームを障子側及び下枠側の一対のアーム部材で形成するとともに障子側を長寸とし，下枠側を短寸とし且つ該下枠側のアーム部材に上記引寄せブロックを配置することによって，該引寄せアームが長尺化して下枠側でその回動に大きなスペースを必要とするのを避けて，可及的にコンパクトとして小さなスペースでその回動を行うものとするように，これを，上記引寄せアームを，長寸の障子側アーム部材と短寸の下枠側アーム部材をその自由端側で回動自在に軸支固定した屈曲一対のアーム部材によって形成し且つ上記引寄せブロックを下枠側アーム部材の長手方向中間位置の裏面に配置してなることを特徴とする請求項１，２，３又は４に記載の障子引寄せ装置としたものである。
【００１２】
請求項６に記載の発明は，同じく上記に加えて，下枠に緩衝部材を配置して，障子の下框を弾発的に受止めして障子の引寄せ閉鎖を緩衝し，閉鎖時の衝撃音の発生を解消するとともにオペレーターの障子開放操作に際して障子を室外側に押圧して，その開放をスムーズに行うものとするように，これを，上記下枠のスライドプレートと離隔した位置に，先端に下框に対接するローラーを具備して室外側に向けて付勢した屈伸自在の緩衝部材を配置してなることを特徴とする請求項１，２，３，４又は５に記載の障子引寄せ装置としたものである。
【００１３】
請求項７に記載の発明は，同じく上記に加えて，上記オペレーターを，レバーハンドルの起立操作によって障子の閉鎖を，プッシュボタンの押圧操作によって障子の開放をなし得るようにして使い勝手を良好にするとともに可及的簡易な構造にして障子の閉鎖と開放を確実に行うものとするように，これを，上記オペレーターを，長寸のハウジングと，該ハウジングに起倒自在に配置した起倒操作用のレバーハンドルと，該レバーハンドルのハウジングからの起立操作によってハウジング内を上記スライドプレート引寄せ方向にスライド自在に配置するとともに長手方向中間位置の背面に横断方向に向けて凹陥した交差係止溝を有するスライドバーと，ハウジング内に正面側に付勢して回動自在に配置しスライドバーを定位置にロックするように上記スライドバーの交差係止溝に弾発的に嵌合係止する係止ピンを有するトリガーと，ハウジングの正面側に露出配置して押圧操作によって上記トリガーを背面側に押圧回動するプッシュボタンとを備えて形成してなることを特徴とする請求項１，２，３，４，５又は６に記載の障子引寄せ装置としたものである。
【００１４】
請求項８に記載の発明は，同じく上記に加えて，スライドバーの両側にガイドピンを配置し，該ガイドピンをハウジングに形成した長孔によって案内して，スライドバーのスライドを安定且つ確実に行うものとするように，これを，上記スライドバーに両側突出のガイドピンを配置するとともにそのガイドピンをハウジングの両側面にその長手方向に向けて配置した長孔にスライド自在に嵌挿して該長孔の案内によって該スライドバーをハウジング内スライド自在としてなることを特徴とする請求項７に記載の障子引寄せ装置としたものである。
【００１５】
請求項９に記載の発明は，同じく上記に加えて，レバーハンドルにハウジングに向けたアームを配置するとともに該アームの先端両側にガイドピンを配置し，該ガイドピンをハウジングに形成した長孔によって案内して，ハウジングに対して起立操作したスライドバーをハウジングに転倒するように確実に復帰し得るものとするように，これを，上記レバーハンドルに長手方向中間位置からハウジングに向けて配置し先端に両側突出のガイドピンを有するアームを配置するとともにそのガイドピンをハウジングの両側面にその長手方向に向けて配置した長孔にスライド自在に嵌挿して該長孔の案内によって起立操作したレバーハンドルを転倒復帰自在としてなることを特徴とする請求項７に記載の障子引寄せ装置としたものである。
【００１６】
請求項１０に記載の発明は，上記スライドバーの両側のガイドピンと，アームの先端両側のガイドピンを，ハウジングの同一の長孔によって案内するとともに該長孔に対するガイドピンを，スライドバーにおいてスライドガイド引寄せ方向の前方に，アームにおいてその後方に配置することによって，レバーハンドルの起立操作によってスライドバーの係止を行った後に，該レバーハンドルをハウジングに転倒するように復帰して，該レバーハンドルが起立状態のまま室内側に露出するのを防止し得るように，これを，上記スライドバーに両側突出のガイドピンを配置し，上記レバーハンドルに長手方向中間位置からハウジングに向けてアームを配置するとともに該アームの先端に同じく両側突出のガイドピンを配置する一方，ハウジングの両側面にその長手方向に向けた長孔を配置して，上記スライドバー及びアームのガイドピンを該長孔にスライド自在に嵌挿するとともに長孔に対するスライドバーにおけるガイドピンを上記スライドプレート引寄せ方向の後方に，アームにおけるガイドピンをスライドプレート引寄せ方向前方に配置することにより，上記レバーハンドルの起立操作によってそのアームのガイドピンがスライドバーのガイドピンを押圧して該スライドバーの係止を行うとともに該スライドバーの係止状態でレバーハンドルをハウジングに転倒復帰自在としてなること特徴とする請求項７に記載の障子引寄せ装置としたものである。
【００１７】
本発明はこれらをそれぞれ発明の要旨として上記課題解決の手段としたものである。
【００１８】
なお本発明において下枠とは，例えば連窓における端部縦枠及び連窓方立の双方を含む意味に使用するが，連窓の説明において必要に応じて該端部縦枠と連窓方立を区別して使用することがある。
【発明の効果】
【００１９】
本発明は以上のとおりに構成したから，請求項１に記載の発明は，オペレーターによって障子の下框と窓枠の下枠間で完結的になし得る構成として，例えば自然換気窓に用いるに際しては，その風圧抵抗による障子の制御は，これを該引寄せ閉鎖機能と分離して別途に縦枠に配置する形態のものとする一方，障子の引寄せを下框と下枠間に配置した引寄せアームを強制回動することによって行うようにし，該引寄せアームの強制回動を，オペレーターの障子閉鎖操作によって下枠長手方向に引寄せスライドする下枠配置のスライドプレートに起立した押圧突起を引寄せアームに対接して該引寄せアームをスライド方向に押圧することによって行うとともに同じくスライドプレートに起立した，引寄せアームの下を潜り抜ける高さの引寄せ突起が，該引寄せアームの強制回動によってその室外側に廻り込むように位置して，該引寄せアームの下枠近傍裏面に下向きに突設した引寄せブロックに係止して，該引寄せブロック，即ち引寄せアームを室内側に押圧して障子の引寄せ閉鎖を行い，また上記オペレーターによるスライドプレートの引寄せスライドによって蓄積した復帰方向の付勢力によって，オペレーターの障子開放操作によって該スライドプレートが逆方向にスライド復帰し，障子の開放をなし得るようにし，これによって外開き窓乃至辷り出し窓の障子引寄せを可及的に簡易な構成にして確実になし得るようにした障子引寄せ閉鎖装置を提供することができる。
【００２０】
請求項２に記載の発明は，上記に加えて，下枠に上記スライドプレートのスライドに連動してスライドするスライドフックを配置し，下框に該スライドフックのロックピンを配置することにより，スライドプレートのスライドによってスライドフックにロックピンを係止し，スライドプレートの復帰によって該係止を解除して，上記オペレーターの操作によって障子の施開錠をなし得るものとすることができる。
【００２１】
請求項３に記載の発明は，同じく上記に加えて，下枠にその長手方向一方に付勢したスライド杆を配置して，これにスライドプレート及びスライドフックを固定し，その連動したスライドを行うものとすることができる。
【００２２】
請求項４に記載の発明は，同じく上記に加えて，上記スライドプレートの引寄せアームの強制回動を，該引寄せアームを固定して下枠に回動自在に配置した回動プレートを介して行うことによって，引寄せアームの押圧を均一に行うとともに部分的な押圧による引寄せアームの変形を防止し，引寄せアームの回動を安定且つ確実に行うものとすることができる。
【００２３】
請求項５に記載の発明は，同じく上記に加えて，引寄せアームを障子側及び下枠側の一対のアーム部材で形成するとともに障子側を長寸とし，下枠側を短寸とし且つ該下枠側のアーム部材に上記引寄せブロックを配置することによって，該引寄せアームが長尺化して下枠側でその回動に大きなスペースを必要とするのを避けて，可及的にコンパクトとして小さなスペースでその回動を行うものとすることができる。
【００２４】
請求項６に記載の発明は，同じく上記に加えて，下枠に緩衝部材を配置して，障子の下框を弾発的に受止めして障子の引寄せ閉鎖を緩衝し，閉鎖時の衝撃音の発生を解消するとともにオペレーターの障子開放操作に際して障子を室外側に押圧して，その開放をスムーズに行うものとすることができる。
【００２５】
請求項７に記載の発明は，同じく上記に加えて，上記オペレーターを，レバーハンドルの起立操作によって障子の閉鎖を，プッシュボタンの押圧操作によって障子の開放をなし得るようにして使い勝手を良好にするとともに可及的簡易な構造にして障子の閉鎖と開放を確実に行うものとすることができる。
【００２６】
請求項８に記載の発明は，同じく上記に加えて，スライドバーの両側にガイドピンを配置し，該ガイドピンをハウジングに形成した長孔によって案内して，スライドバーのスライドを安定且つ確実に行うものとすることができる。
【００２７】
請求項９に記載の発明は，同じく上記に加えて，レバーハンドルにハウジングに向けたアームを配置するとともに該アームの先端両側にガイドピンを配置し，該ガイドピンをハウジングに形成した長孔によって案内して，ハウジングに対して起立操作したスライドバーをハウジングに転倒するように確実に復帰することができる。
【００２８】
請求項１０に記載の発明は，上記スライドバーの両側のガイドピンと，アームの先端両側のガイドピンを，ハウジングの同一の長孔によって案内するとともに該長孔に対するガイドピンを，スライドバーにおいてスライドガイド引寄せ方向の前方に，アームにおいてその後方に配置することによって，レバーハンドルの起立操作によってスライドバーの係止を行った後に，該レバーハンドルをハウジングに転倒するように復帰して，該レバーハンドルが起立状態のまま室内側に露出するのを防止することができる。
【発明を実施するための最良の形態】
【００２９】
以下図面の例に従って本発明を更に具体的に説明すれば，Ｂは，本例にあって，窓枠１から障子２を辷り出し開閉するとともに，例えば無風状態や風速２〜３ｍ／ｓｅｃ程度の微風状態で障子２を辷り出し開放の常態とし，風速４〜５ｍ以上の強風状態で障子２が風圧抵抗を受けることによって該障子２を自動的に閉鎖し，強風が治まり風圧抵抗がなくなると再び辷り出し開放の常態に復帰することによって障子２の受ける風圧抵抗に応じて開閉角度を可変として，自動的に自然換気を行うように形成した自然換気の辷り出し窓であって，該辷り出し窓Ｂは，その障子引寄せ装置４によって障子２の下框２２を窓枠１の下枠，本例にあっては無目１２に引寄せて障子２を引寄せ閉鎖し，またこれを開放するようにする一方，該障子引寄せ装置４とは別に配置した障子制動装置３によって上記風圧抵抗に応じた開閉角度の制御を行うものとしてある。本例の該辷り出し窓Ｂは，例えばアルミサッシの連段窓Ａの上段に，上枠１１，無目１２及び縦枠，即ち端部縦枠１３乃至連窓方立１４による各矩形の窓枠１にそれぞれ障子２を配置した４連窓として，該連段窓Ａの上方高所に一連に配置し，該４連窓Ａの辷り出し窓Ｂによって室内の上方高所においてその換気を行うようにしてあり，このとき該連段窓Ａの下段は，中央に嵌殺窓を，その左右に引き違い窓を配置して，これを３連窓としてある。
【００３０】
本例の辷り出し窓Ｂは，障子制動装置３によって上記風圧抵抗に応じた開閉角度の制御を行うとともに障子２の開閉時の衝撃を緩衝するものとしてあり，該障子制動装置３は，例えば窓枠１の端部縦枠１３乃至連窓方立１４の上端に対向し，それぞれストッパーによってガイド溝下端を閉塞したガイドレール３１と，該ガイドレール３１の案内によって上下動して端部縦枠１３乃至連窓方立１４に対して障子２を昇降するように障子２の縦框２３上端に配置したスライダー３２，本例にあってはガイドローラーと，窓枠１の端部縦枠１３乃至連窓方立１４と障子２の縦框２３に長手方向両端部を回動自在としてこれらの間に端部縦枠１３乃至連窓方立１４から上向きに傾斜介設した障子開閉用のメインアーム３３を備え，上記障子引寄せ装置４のオペレーター５を障子開放方向に操作することによってスライダー３２がガイドレール３１に案内されて下方に落下して該障子２が自重降下するとともにメインアーム３３が障子２を室外側に押圧して，該障子２がその自重によって室外側に迫出し状に開放する一方，オペレーター５を障子閉鎖方向に操作することによって，上記メインアーム３３が障子２を室内側に引寄せるとともにスライダー３２がガイドレール３１に案内されて上方に復帰して該障子２が自重に抗して上昇復帰して逆動作によって閉鎖するように構成してある。このとき該端部縦枠１３乃至連窓方立１４には，上下端に制動バネ３５２を配置して上下に揺動自在とした制動プレート３５を添設し且つ該制動プレート３５にスライダー３５４，同じく本例にあってはガイドローラーを固定して，該ガイドローラーを端部縦枠１３乃至連窓方立１４に固定した中間ガイドレール３５３によって案内することによって該制動プレート３５を左右に揺動することなく上下に垂直に揺動するように配置する一方，該制動プレート３５に固定したガイドローラーと上記メインアーム３３間にサブアーム３４を介設したものとしてある。
【００３１】
障子引寄せ装置４は，窓枠１又は壁面，本例にあっては上記連段窓Ａの下段の端部縦枠１３に配置したオペレーター５と，上記障子２の下框２２と窓枠１の下枠，本例にあっては無目１２間にこれらを連結するように配置し且つ無目１２側近傍の裏面に下向きに突設した引寄せブロック４５２を有する引寄せアーム４５と，上記オペレーター５の障子閉鎖操作で無目１２長手方向に引寄せスライド自在とし且つオペレーター５の障子開放操作で該引寄せスライドにより蓄積した復帰付勢力によって逆方向にスライド復帰自在としたスライドプレート４３と，該スライドプレート４３の室外側に起立突出して引寄せアーム４５側面を押圧することにより該引寄せアーム４５を室内側に向けて強制回動する押圧突起４３１と，同じく該スライドプレート４３の室内側に強制回動する引寄せアーム４５の下方を潜り抜けて下枠，即ち無目１２側に移動した上記引寄せブロック４５２の室外側に廻り込み状に係止する引寄せ突起４３２とを備えたものとしてあり，本例の障子引寄せ装置４は，上記無目１２のスライドプレート４３と離隔した位置に配置して，該スライドプレート４３と連動してスライドするスライドフック４６と，障子引寄せ閉鎖時の下框２２の対応位置に該スライドフック４６に係止するロックピン４６１とによって無目１２に下框２２を施開錠自在としてあり，このとき本例のスライドプレート４３とスライドフック４６の連動は，上記無目１２にオペレーター５と連結し且つ上記無目長手方向一方に付勢したスライド杆４２を配置し，該スライド杆４２に上記スライドプレート４３及びスライドフック４６を固定することによって，これを行ってある。
【００３２】
引寄せアーム４５は，障子２の下框２２と窓枠１の無目１２にそれぞれ端部を回動自在に軸支固定して，これらを連結するように配置してあり，障子２を上記迫出し状に自重降下し，また逆に上昇復帰するようにした本例にあっては，その軸支固定を，特に障子２側において下框２２に両側面を軸支することによって上下方向回転自在に配置した上下回動金具２２１を用いて，該上下回動金具２２１に対して行うことによって障子の開閉に伴う上下動を吸収するようにしてある。
【００３３】
このとき本例の引寄せアーム４５は，これを，長寸の障子側アーム部材４５３と短寸の下枠側アーム部材，本例にあっては無目側アーム部材４５１をその自由端側で回動自在に軸支固定した屈曲一対のアーム部材によって形成してあり，また該引寄せアーム４５，本例にあって無目側に位置する無目側アーム４５１は，これを，無目１２に回動自在に配置した回動プレート４４に固定してある。
【００３４】
即ち障子側アーム部材４５３と無目側アーム部材４５１は，例えば前者を後者の２倍程度の長さとして無目側の軸支位置を中心にして無目側アーム部材４５１を強制回動して，障子側アーム部材４５３を該無目側アーム部材４５１に可及的に近接して屈曲して障子２を引寄せ閉鎖するようにして，例えば直線単一のアームを用いるに比して省スペースでその作動を行うものとしてある。
【００３５】
引寄せアーム４５，本例にあって無目側アーム部材４５１は，その裏面に下向きに突出するように固定して上記引寄せブロック４５２を備えてあり，該引寄せブロック４５２は，例えば硬質樹脂，アルミ押出材等の合成樹脂乃至金属製にして，本例において平面台形に形成して，後述の上記引寄せ突起４３２と対接する側面を室内側から室外側に向けた傾斜面とし，該傾斜面に交差する室内外両側面を平行な面としたものとしてある。
【００３６】
該引寄せアーム４５，本例にあっては無目側アーム部材４５１を固定した回動プレート４４は，矩形等の適宜の平面形状にして，室内側の端部，本例にあっては，例えば矩形のコーナー部を，例えば固定金具を介して無目に軸支することによって該コーナー部以外の部分を無目から室外側に向けて突出するように配置し，軸支部を回動中心として首振り状の回動を行うようにしてあり，該回動プレート４４は，その一辺，即ち引き寄せ方向後方の辺に，例えばネジ等の固定金具によってＬ字金具を固定して下向き乃至上向きに突出した，上記押圧突起４３１の受止片４４１を備える一方，該受止片４４１を配置した辺の対向辺，即ち引寄せ方向前方の辺に無目側アーム部材４５１の長手方向端部を重合して，ネジ等の固定金具によって固定してある。
【００３７】
スライドプレート４３は，例えば上記回動プレート４４より大きな面積を有する，断面Ｌ字状にして平面を矩形等の適宜の形状とし，その室内側の垂下部を上記スライド杆４２に添設固定することによって室外側に向けて突出して，その引寄せスライドとスライド復帰を行うようにしてあり，このとき該スライドプレート４３の引寄せ方向後方の室外側端部近傍には上記押圧突起４３１を，引寄せ方向前方の室内側端部近傍には上記引寄せ突起４３２をそれぞれ起立して，これら押圧突起４３１と引寄せ突起４３２が対角方向に位置するように配置するとともに該押圧突起４３１は，その高さを上記引寄せアーム４５，本例にあっては無目側アーム部材４５１を固定した回動プレート４４の上記受止片４４１に対接するように，また引寄せ突起４３２は，該引寄せアーム４５を潜り抜けて上記引寄せブロック４５２の傾斜面を介してその室外側の側面に対接するように，それぞれ起立高さとスライドプレート４３における起立位置を定めたものとしてある。このとき上記押圧突起４３１及び引寄せ突起４３２は，本例にあってそれぞれ支軸にローラーを軸支したローラー付のピンを用いることによって，その回動プレート４４との対接，引寄せブロック４５２の傾斜面との対接とその室外側側面への対接に際して，該回動プレート４４及び引寄せブロック４５２が回動しながら進行することによる摩擦抵抗を可及的に減少して，その押圧と引寄せをスムーズ且つ安定してなし得るようにしてある。
【００３８】
スライドプレート４３と連動するスライドフック４６は，例えば引寄せスライド方向に向けて先端を鋭角にして開口した係止孔を備えて，上記スライドプレート４３を固定したスライド杆４２に，該スライドプレート４３から引寄せスライド方向後方に離隔した位置に同様に室内側端部を載置固定して配置してあり，一方ロックピン４６１は下框２２の引寄せアーム４５，本例にあっては障子側アーム部材４５３を軸支した位置の近傍に該軸支部位と並ぶように配置してあり，これによって引寄せアーム４５の引寄せスライドによって障子２を引寄せ閉鎖するに際して，スライドフック４６が引寄せスライド方向前方に移動しつつ，室内側，即ち無目と直交方向に移動してくるロックピン４６１を，障子２の引寄せ閉鎖の直前にその係止孔に受け入れることによって，該障子２の施錠を行うようにしてある。
【００３９】
上記スライドプレート４３，本例にあっては該スライドプレート４３とスライドフック４６を固定したスライド杆４２は，例えば下枠，即ち無目１２に形成した上向き溝に，該スライド杆４２を挿通する透孔を配置したクランプ４２１を介してスライド自在とするとともに後述のオペレーター５に，ワイヤー，チェーン等の引寄せ連結部材４１によってその引寄せ方向先端を連結し，オペレーター５の障子閉鎖操作によって該スライド杆４２をオペレーター５側に引寄せスライド自在としてある。このとき該オペレーター５によって複数，例えば幅方向に隣接する一対の辷り出し窓を同時に開閉操作するようにした本例の辷り出し窓Ｂにあっては，該スライド杆４２は，該複数の辷り出し窓Ｂの無目１２に一連に連通する長尺のものとして該無目１２に配置してある。該スライド杆４２には，そのスライドによってクランプ４２１と衝接しない長手方向中間位置に上記スライドプレート４３とスライドフック４６を固定するとともにその引寄せ方向後方位置にバネ受クランプ４２２及びバネ受スリーブ４２３を配置するとともにこれらの間に付勢バネ４２４を介設してあり，該付勢バネ４２４によって，オペレーター５の障子閉鎖操作の引寄せスライドしたスライド杆４２に逆方向に復帰する復帰付勢力を蓄積するようにしてある。
【００４０】
一方，４７は，無目１２のスライドプレート４３と離隔した位置に，先端に下框２２に対接するローラー４７２を具備して室外側に向けて付勢した屈伸自在の緩衝部材であり，該緩衝部材４７は，例えば中間に図示省略の捩りバネを介設した一対の短寸アーム４７１をＬ字状に配置し，ゴム等のローラー４７２を回転自在に配置して，無目１２から室外側に突出するように配置してあり，ローラー４７２に障子２の下框２２が対接してこれを押圧すると上記捩りバネを圧縮して弾発的に下框を室外側に押圧するものとしてある。
【００４１】
このように形成した障子引寄せ装置４によれば，オペレーター５の障子閉鎖操作により，引寄せ連結部材４１を介してスライド杆４２を引寄せスライドして該スライド杆４２に固定したスライドプレート４３を引寄せスライドし，その押圧突起４３１が回動プレート４４の受止片４４１に対接してこれを押圧し，該回動プレート４４を回動することによりこれに固定した引寄せアーム４５，特にその無目側アーム部材４５１を強制回動して，該アーム部材４５１を無目１２側に引寄せるとともにその引寄せ突起４３２が該無目側アーム部材４５１の下方を潜り抜けて引寄せブロック４５２の傾斜面に対接してその室外側の側面に廻り込み状に係止し，引寄せアーム４５による障子２の引寄せ閉鎖を行うものとなり，また上記スライド杆４２に固定してスライドプレート４３に連動したスライドフック４６が下框のロックピン４６１を受け入れることによって，緩衝部材４７によって緩やかに引寄せた障子２の施錠を行うものとなる。またオペレーター５の障子閉鎖操作により，上記引寄せ連結部材４１の引寄せを解除すれば，スライド杆４２はその復帰付勢力により逆方向にスライド復帰して，上記スライドフック４６からロックピン４６１が外れるとともにスライドプレート４３の引寄せ突起４３２が引寄せブロック４５２の室外側の側面から外れ，これによって障子２が自重降下を開始し，引寄せアーム４５が拡開して，その無目側アーム部材４５１がスライドプレートの押圧突起４３１を押して該スライドプレート４３を復帰させるように作用して，上記復帰付勢力によるスライド復帰を促進して，障子２を開放することができる。
【００４２】
このとき障子２の開閉操作を行うオペレーター５は，これを，長寸のハウジング５１と，該ハウジング５１に起倒自在に配置した起倒操作用のレバーハンドル５２と，該レバーハンドル５２のハウジング５１からの起立操作によってハウジング５１内を上記スライドプレート４３引寄せ方向にスライド自在に配置するとともに長手方向中間位置の背面に横断方向に向けて凹陥した交差係止溝５４３を有するスライドバー５４と，ハウジング５１内に正面側に付勢して回動自在に配置しスライドバー５４を定位置にロックするように上記スライドバー５４の交差係止溝５４３に弾発的に嵌合係止する係止ピン５５１を有するトリガー５５と，ハウジング５１の正面側に露出配置して押圧操作によって上記トリガー５５を背面側に押圧回動するプッシュボタン５６とを備えて形成してあり，本例にあって該オペレーター５は，上記スライドバー５４に両側突出のガイドピン５４２を配置し，上記レバーハンドル５２に長手方向中間位置からハウジング５１に向けてアーム５３を配置するとともに該アーム５３の先端に同じく両側突出のガイドピン５３１を配置する一方，ハウジング５１の両側面にその長手方向に向けた長孔５１１を配置して，上記スライドバー５４及びアーム５３のガイドピン５４２，５３１を該長孔５１１にスライド自在に嵌挿するとともに長孔５１１に対するスライドバー５４におけるガイドピン５４２を上記スライドプレート４３引寄せ方向の後方に，アーム５３におけるガイドピン５３１をスライドプレート４３引寄せ方向前方に配置することにより，上記レバーハンドル５２の起立操作によってそのアーム５３のガイドピン５３１がスライドバー５４のガイドピン５４２を押圧して該スライドバー５４の係止を行うとともに該スライドバー５４の係止状態でレバーハンドル５２をハウジング５１に転倒復帰自在としたものとしてある。
【００４３】
即ち本例のオペレーター５は，レバーハンドル５２の起立操作，本例にあってはレバーハンドル５２を下向きに押し下げる下方への起立操作によってスライドバー５４をハウジング５１内で引寄せ方向，本例にあっては下方にスライド降下するとともに該スライド降下したスライドバー５４をハウジング１１，特にそのトリガー５５にロックすることによって，該スライドバー５４の先端に固定した上記ワイヤー，チェーン等の障子引寄せ装置４におけるスライド杆４２との間の引寄せ連結部材４１を引寄せて上記障子２の引寄せ閉鎖を行う一方，プッシュボタン５６によってトリガー５５を押圧することによってスライドバー５４のロックを外し，該スライドバー５４をフリーとして，上記スライド杆４２の復帰付勢力によってスライド上昇させるようにしてあり，このとき上記下方への引下げ操作をすることによって，レバーハンドル５２がハウジング５１に起立するところ，スライドバー５４のロック後に該ロック状態を維持したままレバーハンドル５２を転倒，本例にあってはレバーハンドル５２を上向きに戻す上方への転倒を手動又は自動，本例にあっては後述のバネ５２２の付勢力によって自動的に行うようにして，障子２の閉鎖時に起立したレバーハンドル５２がオペレーター５から突出したままとなるのを防止したものとしてある。
【００４４】
即ちハウジング５１は，本例にあって正面を部分的又は全長に亘って開口した断面矩形乃至コ字状にしてその両側側面にスライドバー５４のスライド長さに応じた長孔５１１を透設し，底面を上記連段窓Ａの下段の端部縦枠１３の内面に対接してネジ等の固定金具によって固定して，該端部縦枠１３に内蔵するように配置してある。
【００４５】
レバーハンドル５２は，ハウジング５１，例えばその下端に配置したブラケット５２１の支軸に軸支することによって該ハウジング５１に起倒自在に軸支固定するとともに，本例にあって該ハウジング５１，例えばその軸支点近傍のブラケット５２１との間にバネ５２２を介設し，レバーハンドル５２の起立操作によって該レバーハンドル５２をハウジング５１に対して復帰方向に付勢するようにしてある。
【００４６】
レバーハンドル５２の長手方向中間に配置したアーム５３は，一端を該中間位置に軸支固定し，他端にガイドピン５３１を備えたものとし，該ガイドピン５３１を上記長孔５１１に嵌挿しその案内によって該アーム５３の端部を上下動するようにしてある。
【００４７】
スライドバー５４は，例えば中実バー材を用いて，上端面に引寄せ連結部材４１の固定用の雌ネジを，長手方向中間の背面に，そのスライド方向に交差する横断方向，本例にあっては横向き水平の交差係止溝５４３を凹陥形成し且つ下端にハウジング５１の中空部に嵌合スライドする嵌合ブロック５４１を配置するとともに該嵌合ブロック５４１から両側に突出して上記長孔５１１に嵌挿しその案内によって該スライドバー５４を引寄せスライド，即ち上下動するガイドピン５４２を配置してあり，このとき本例の交差係止溝５４３は，例えば１ｃｍ程度の太さとしたスライドバー５４の強度を確保しつつそのトリガー５５によるロックを確実に行うように，該交差係止溝５４３のスライド方向後端，本例にあっては下部に，背面側に該トリガー５５の係止ピン５５１が弾発的に乗り越えることによって，これを確実に受止めする受止突起５４４を配置したものとしてあり，該受止突起５４４は，これをスライドバー５４を貫通して背面側に小突出するように該スライドバー５４に配置した貫通ピンの突出先端部によって形成したものとしてある。また上記ガイドピン５４２は，これを嵌合ブロック５４１の，スライドバー５４から外方に外れて正面側に変位した位置に配置してある。
【００４８】
トリガー５５は，両側の側板間の上端に，上記スライドバー５４の交差係止溝５４３に係止する係止ピン５５１を架設して配置するとともに両側の側板間の下端に配置した支軸をハウジング５１に形成した軸受に軸支固定する一方，捩りバネ５５２を用いて，常時正面側に付勢してあり，該捩りバネ５５２は，例えば下端の支軸にヒンジ部を巻設し，一方の自由端側のフックを，同じく両側の側板間の中間に配置した中間軸に，他方の自由端をハウジング５１にそれぞれ係止することによって，上記正面側への付勢を行ったものとしてあり，このとき係止ピン５５１は，その両端を長手方向に突出して，該突出部位をハウジング５１に透設した横向きのガイド孔５１２に挿入して，該ガイド孔５１２によってその移動を案内するようにしてある。
【００４９】
プッシュボタン５６は，ハウジング５１の正面に，特にトリガー５５の係止ピン５５１の配置位置に合せて露出することによって押圧操作可能に配置してあり，本例のプッシュボタン５６は，例えば上下にスライドバー５４を挿通する挿通凹部を，両側面に軸受を備えて正面を押圧部とするように閉塞したボックス状に形成してあり，このとき本例のプッシュボタン５６は，上記両側面の軸受に上記トリガー５５の上端に配置した係止ピン５５１の支軸を軸支し，該支軸を共通として上記ハウジング５１のガイド孔５１２に対して該係止ピン５５１とともにその配置を行ったものとしてあり，これによって本例にあってはプッシュボタン５６を押圧操作すると，該プッシュボタン５６がトリガー５５の係止ピン５５１を捩りバネ５５２の付勢力に抗してハウジング５１の背面側にそのガイド孔５１２に沿って押圧移動して，該トリガー５５によるスライドバー５４のロックを解除するとともに上記捩りバネ５５２の付勢力によってプッシュボタン５６が復帰するようにしてある。
【００５０】
本例のオペレーター５にあって上記ハウジング５１の長孔５１１には，上記レバーハンドル５２のアーム５３に配置したガイドピン５３１とスライドバー５４のガイドピン５４２の双方を嵌挿して，これらを該長孔５１１の案内によって，レバーハンドル５２の起立操作によるスライドバー５４のスライド降下とそのロックを，プッシュボタン５６の押圧操作によって該ロックの解除を行うところ，該長孔５１１に対してこれらガイドピンは，スライドバー５４のガイドピン５４２を上記スライドプレート４３引寄せ方向前方，即ち下位に，アーム５３のガイドピン５３１を同じく後方，即ち上位に配置するように，これらガイドピンの位置を規制してあり，これによって上記スライドバー５４の係止状態でレバーハンドル５２の転倒復帰をなし得るようにしてある。即ちレバーハンドル５２を起立操作してアーム５３を降下すると，その上位のガイドピン５３１が下位のスライドバー５４のガイドピン５４２を押圧して長孔５１１に沿ってこれを押し下げるため，スライドバー５４が降下して，その交差係止溝５４３がトリガー５５位置において係止ピン５５１を受け入れて該スライドバー５４をロックするところ，該スライドバー５４のロックによってアーム５３のガイドピン５３１は長孔長手方向の上方に自由に移動可能となり，該アーム５３はハウジング５１に対して上下方向に何の拘束も受けないフリーな状態となり，このとき本例にあってレバーハンドル５２は，その起立操作によってバネ５２２を伸張して復帰方向に付勢されているから，該バネ５２２がレバーハンドル５２を転倒させるとともにそのアーム５３のガイドピン５３１が上方に移動する結果，上記自動的なレバーハンドル５２のハウジング５１への復帰を行うことができ，オペレーター５に起倒自在のレバーハンドル５２を使用しながら，これが障子閉鎖操作によってハウジング５１から突出した状態となって，外観を損なったり，人の袖口等の衣服に引っ掛かったりする危険を確実に回避することが可能となる。
【００５１】
図中１２１は，無目の上面を覆うように配置した無目カバー，４１１は，ワイヤーのときプーリーとし，チェーンのときスプロケットとするように引寄せ連結部材４１を端部縦枠１３から無目１２に方向転換する方向転換具，５４５は障子開放時にハウジング５１に設置した透明カバーを介して外部に表示するようにスライドバー５４の正面側に配置した開放表示プレートを示す。
【００５２】
図示した例は以上のとおりとしたが，障子引寄せ装置を，外開き窓や上記例とは異なる形態の辷り出し窓に適用すること，ハウジングの両側面に配置した長孔にスライドバーのガイドピン，レバーハンドルのアームをそれぞれ個別に案内するように，上記スライドバーに両側突出のガイドピンを配置するとともにそのガイドピンをハウジングの両側面にその長手方向に向けて配置した長孔にスライド自在に嵌挿して該長孔の案内によって該スライドバーをハウジング内スライド自在とし，また上記レバーハンドルに長手方向中間位置からハウジングに向けて配置し先端に両側突出のガイドピンを有するアームを配置するとともにそのガイドピンをハウジングの両側面にその長手方向に向けて配置した長孔にスライド自在に嵌挿して該長孔の案内によって起立操作したレバーハンドルを転倒復帰自在とすること，このときアームをフリーとしてレバーハンドルを転倒復帰する場合には，ハウジング内でアームのガイドピンからスライドバーのガイドピンに向けた押圧突片を配置し，該押圧突片によって上記と同様にスライドバーを押し下げるようにすること等を含めて，本発明の実施に当って，障子，下框，窓枠，下枠，オペレーター，引寄せアーム，引寄せブロック，スライドプレート，押圧突起，引寄せ突起，必要に応じて用いるスライドフック，ロックピン，スライド杆，回動プレート，屈曲一対のアーム部材，緩衝部材，オペレーターのハウジング，レバーハンドル，スライドバー，トリガー，プッシュボタン等の各具体的形状，構造，材質，これらの関係，これらに対する付加等は，上記発明の要旨に反しない限り様々な形態のものとすることができる。
【図面の簡単な説明】
【００５３】
【図１】辷り出し窓の正面図である。
【図２】辷り出し窓の側面図である。
【図３】辷り出し窓の縦断面図である。
【図４】障子制動装置の側面図である。
【図５】端部縦枠乃至連窓方立部分の横断面図である。
【図６】障子を開放した障子引寄せ装置の平面図である。
【図７】障子を閉鎖した障子引寄せ装置の平面図である。
【図８】スライドプレートと回動プレートの関係を示す無目の縦断面図である。
【図９】引寄せアームとスライドプレートの関係を示す無目の縦断面図である。
【図１０】無目のオペレーター側端部の縦断面図である。
【図１１】障子閉鎖操作時のオペレーターを示す端部縦枠の縦断面図である。
【図１２】図１１の拡大縦断面図である。
【図１３】障子開放状態のオペレーターを示す端部縦枠の拡大縦断面図である。
【図１４】端部縦枠の拡大横断面図である。
【図１５】スライドバーの拡大側面図である。
【図１６】スライドバーの拡大正面図である。
【符号の説明】
【００５４】
Ａ  連段窓
Ｂ  辷り出し窓
１  窓枠
１１  上枠
１２  無目
１２１  無目カバー
１３  端部縦枠
１４  連窓方立
２  障子
２１  上框
２２  下框
２２１  上下回動金具
２３  縦框
３  障子制動装置
３１  ガイドレール
３２  スライダー
３３  メインアーム
３３１  軸支金具
３４  サブアーム
３５  制動プレート
３５１  係止金具
３５２  制動バネ
３５３  中間ガイドレール
３５４  スライダー
４  障子引寄せ装置
４１  引寄せ連結部材
４１１  方向転換具
４２  スライド杆
４２１  クランプ
４２２  バネ受クランプ
４２３  バネ受スリーブ
４２４  付勢バネ
４３  スライドプレート
４３１  押圧突起
４３２  引寄せ突起
４４  回動プレート
４４１  受止片
４５  引寄せアーム
４５１  無目側アーム
４５２  引寄せブロック
４５３  障子側アーム
４６  スライドフック
４６１  ロックピン
４７  緩衝部材
４７１  短寸アーム
４７２  ローラー
５  オペレーター
５１  ハウジング
５１１  長孔
５１２  ガイド孔
５２  レバーハンドル
５２１  ブラケット
５２２  バネ
５３  アーム
５３１  ガイドピン
５４  スライドバー
５４１  嵌合ブロック
５４２  ガイドピン
５４３  交差係止溝
５４４  受止突起
５４５  開閉表示プレート
５５  トリガー
５５１  係止ピン
５５２  捩りバネ
５６  プッシュボタン
【図１】
2008308928.tif 000003
【図２】
2008308928.tif 000004
【図３】
2008308928.tif 000005
【図４】
2008308928.tif 000006
【図５】
2008308928.tif 000007
【図６】
2008308928.tif 000008
【図７】
2008308928.tif 000009
【図８】
2008308928.tif 000010
【図９】
2008308928.tif 000011
【図１０】
2008308928.tif 000012
【図１１】
2008308928.tif 000013
【図１２】
2008308928.tif 000014
【図１３】
2008308928.tif 000015
【図１４】
2008308928.tif 000016
【図１５】
2008308928.tif 000017
【図１６】
2008308928.tif 000018